(57)【要約】【課題】天井の落下を防止する。【解決手段】地震動が発生した場合、天井板１４が水平方向に振動し、天井板１４に慣性力や衝撃力等が発生し、これにより天井板１４が破壊されることがある。そして、一つの天井板１４の破壊が進行し脱落すると、振動幅が大きくなり、他の天井板１４が次々に破壊され脱落する。しかし、第一フレーム材１１０及び第二フレーム材１２０に支持されて固定されたメッシュ金物５０が脱落した天井板１４を受け止める。よって、天井板１４の床面への落下が防止される。【選択図】図２
2015074874.tif 000002
【特許請求の範囲】
【請求項１】
躯体に吊り下げられた複数の天井板と、
前記天井板の間にＸ方向に間隔をあけて複数配置され、前記躯体に固定された吊部材と、
前記吊部材に取り付けられた取付部材と、
Ｘ方向を長手方向として配置され、前記取付部材の両側部に結合された対を成す第一フレーム材と、
Ｘ方向と交差するＹ方向を長手方向として配置され、前記第一フレーム材の側部に結合された第二フレーム材と、
前記第一フレーム材及び前記第二フレーム材の少なくとも一方に固定され、前記天井板の下方に配置された網材又は金網材と、
を備える天井構造。
【請求項２】
対を成す前記第一フレーム材の間における前記第二フレーム材延長線上に配置され、両端部が前記第一フレーム材に結合された補強部材を有する、
請求項１に記載の天井構造。
【請求項３】
前記第一フレーム材は、
Ｘ方向を筒方向とする筒部と、
前記筒部の上側及び下側に形成され、両外側にそれぞれ開口し前記取付部材及び前記第二フレーム材が締結されたＸ方向を溝方向とする横溝部と、
前記横溝部の上側及び下側に形成され、Ｙ方向両側にそれぞれ延在するフランジ部と、
を有する、
請求項１又は請求項２に記載の天井構造。
【請求項４】
対を成す前記第一フレーム材の間に照明機器が設けられている、
請求項１〜請求項３のいずれか１項に記載の天井構造。
【発明の詳細な説明】
【技術分野】
【０００１】
本発明は、天井構造に関する。
【背景技術】
【０００２】
特許文献１には、建物の室内仕上工事として施工される天井の構造とその施工方法に関する技術が開示されている。
【０００３】
特許文献２には、既存の建築物において、その部屋の内側四隅部へそれぞれ立設した金属製の垂直体と、これら垂直体の間をそれぞれ接続させた金属製の水平体と、前記垂直体と前記水平体により形成された方形状の枠体における天部において、前記枠体内へ間隔的に多数本取り付けた横架体とからなる建築物補強装置が開示されている。この先行技術では、前記垂直体は、その下端部を、前記建築物における建設土地面へ当接させてあり、該垂直体の上端部は、前記建築物の部屋における既存の天井の下方に位置させている。
【０００４】
ここで、大規模な地震等に吊り天井の天井板が大きく揺れた場合でも、天井板が落下することを防止することが求められている。しかし、上記、特許文献１は、耐震強度が低い建築物の耐震補強を主とした技術であり、部屋の内部に、新たに柱、梁、及び小梁を構築する。よって、例えば、建築物の躯体は耐震強度を十分備えており、天井板の落下のみを防止する建築物に適用するには、過剰な工事が要求される。したがって、この点において改良の余地があった。
【先行技術文献】
【特許文献】
【０００５】
【特許文献１】特開２００１−２５４４７４号公報
【特許文献２】特開２００３−１２００４５号公報
【発明の概要】
【発明が解決しようとする課題】
【０００６】
本発明は、天井の落下を防止することが課題である。
【課題を解決するための手段】
【０００７】
請求項１の発明は、躯体に吊り下げられた複数の天井板と、前記天井板の間にＸ方向に間隔をあけて複数配置され、前記躯体に固定された吊部材と、前記吊部材に取り付けられた取付部材と、Ｘ方向を長手方向として配置され、前記取付部材の両側部に結合された対を成す第一フレーム材と、Ｘ方向と交差するＹ方向を長手方向として配置され、前記第一フレーム材の側部に結合された第二フレーム材と、前記第一フレーム材及び前記第二フレーム材の少なくとも一方に固定され、前記天井板の下方に配置された網材又は金網材と、を備える。
【０００８】
請求項１に記載の発明では、地震動が発生した場合、天井板が水平方向に振動し、天井板に慣性力や衝撃力等が発生し、天井板が破壊されることがある。しかし、天井板の破壊が進行し天井板が脱落しても、第一フレーム材及び第二フレーム材の少なくとも一方に固定された網材又は金網材で受け止められる。よって、天井の落下が防止される。
【０００９】
請求項２の発明は、対を成す前記第一フレーム材の間における前記第二フレーム材の延長線上に配置され、両端部が前記第一フレーム材に結合された補強部材を有する。
【００１０】
請求項２に記載の発明では、補強部材が第二フレーム材延長線上に配置されているので、第二フレーム材の長手方向（Ｙ方向）の応力を、第一フレーム材を介して、補強部材が受ける。よって、Ｘ方向を長手方向として配置された第一フレーム材の曲げ変形が抑制される。
【００１１】
請求項３の発明は、前記第一フレーム材は、Ｘ方向を筒方向とする筒部と、前記筒部の上側及び下側に形成され、両外側にそれぞれ開口し前記取付部材及び前記第二フレーム材が締結されたＸ方向を溝方向とする横溝部と、前記横溝部の上側及び下側に形成され、Ｙ方向両側にそれぞれ延在するフランジ部と、を有する。
【００１２】
請求項３に記載の発明では、筒部とフランジ部とによって第一フレーム材のＹ方向の座屈剛性が向上する。また、横溝部のＸ方向の任意の位置に第二フレーム材及び取付部材を締結することができる。
【００１３】
請求項４の発明は、対を成す前記第一フレーム材の間に照明機器が設けられている。
【００１４】
請求項４に記載の発明は、第一フレーム材の間に照明機器を設けることで、第一フレーム材の間の空間が有効活用される。
【発明の効果】
【００１５】
本発明によれば、天井の落下を防止することができる。
【図面の簡単な説明】
【００１６】
【図１】本発明の実施形態に係る天井構造を斜視図である。
【図２】本発明の実施形態に係る天井構造の側面図である。
【図３】本発明の実施形態に係る天井構造を下から見た平面図である。
【図４】図２の要部の拡大側面図である。
【図５】図４の要部拡大側面図である。
【図６】第一フレーム材をＹ方向から見た側面図である。
【図７−１】既存の天井構造を本発明の実施形態に係る天井構造に改修する施工工程を（Ａ）〜（Ｇ）へと順番に示す工程図の（Ａ）と（Ｂ）である。
【図７−２】既存の天井構造を本発明の実施形態に係る天井構造に改修する施工工程を（Ａ）〜（Ｇ）へと順番に示す工程図の（Ｃ）と（Ｄ）である。
【図７−３】既存の天井構造を本発明の実施形態に係る天井構造に改修する施工工程を（Ａ）〜（Ｇ）へと順番に示す工程図の（Ｅ）と（Ｆ）である。
【図７−４】既存の天井構造を本発明の実施形態に係る天井構造に改修する施工工程を（Ａ）〜（Ｇ）へと順番に示す工程図の（Ｇ）である。
【図８】図１の要部をＹ方向から見た側面図である。
【図９】本発明の実施形態の変形例の天井構造を示す図４に対応する要部拡大側面図である。
【発明を実施するための形態】
【００１７】
本発明の一実施形態にかかる天井構造について説明する。なお、各図において、鉛直方向を矢印Ｚで示し、水平方向における直交する２方向を矢印Ｘ及び矢印Ｙで示す。
＜全体構造＞
まず、天井構造１０の全体構造について説明する。
【００１８】
図２に示すように、天井構造１０は、躯体の一例としてのスラブ１２から複数の天井板１４が吊られた吊り天井である。
【００１９】
具体的には、図２及び図４に示すように、スラブ１２（図２参照）から先端部にハンガー１６を備えた複数の吊りボルト１８が垂下されている。また、ハンガー１６によって掛止されたＹ方向を長手方向として配置された野縁受け（下地金物）２０がＸ方向に間隔をあけて並列に設けられている。更に、この野縁受け２０と直交するＸ方向を長手方向とする野縁２２がＹ方向に間隔あけて並列に設けられ、野縁受け２０との交点において図示していないクリップによって連結されている。
【００２０】
そして、この野縁２２に、図示していないビスによって天井板１４が固定されている。なお、本実施形態では、天井板１４は、二枚の石膏ボードが積層された構成となっている（図４参照）。また、この天井板１４の下側に、メッシュ金物５０が配置されている（図３も参照）。
【００２１】
図２及び図３に示すように、天井板１４には、Ｙ方向に間隔があいた領域がある。なお、この天井板１４間を開口領域３０とする。また、この開口領域３０はＸ方向に沿って延在し、またＹ方向に間隔をあけて設けられている。
【００２２】
図２及び図４に示すように、各開口領域３０においては、野縁受け（下地金物）２０は、連結機構４０で連結されている。図４に示すように連結機構４０は、板金製の断面Ｕ字形状の縦部材４２、上側横部材４４、及び下側横部材４６を含んで構成されている。縦部材４２は、下端部が野縁受け（下地金物）２０の端部に溶接され且つボルトＢＴ及び図示されていないナットで締結されている。上側横部材４４は、両端部が縦部材４２に溶接接合されている。下側横部材４６は両端部が縦部材４２にボルトＢＴ及び図示されていないナットによって締結されている。
【００２３】
図２に示すように、平面視における各開口領域３０（天井板１４の間）には、スラブ１２から吊部材６０がＸ方向に所定の間隔をあけて吊り下げられている。よって、平面視においては、吊部材６０は、Ｘ方向及びＹ方向に間隔をあけて配置されている（図３参照）。
【００２４】
図１及び図４に示すように、吊部材６０は、スラブ１２（図２参照）に埋め込まれて固定された図示していない埋込アンカーに取り付けられた全螺子ボルト６２と、この全螺子ボルト６２に袋ナット６６で継がれた全螺子構造の吊ボルト６４と、を有している。なお、図１は、後述する第一フレーム材１１０の端部同士が接続部材１０９で締結される前の状態で図示されている。
【００２５】
図１及び図８に示すように、吊部材６０（吊ボルト６４）の下端部には、吊フレーム３００が、断面Ｃ字形状のＣ型プレート３０２を介して取り付けられている。吊フレーム３００は、長手方向をＸ方向として配置された断面Ｃ字形状のフレーム材（チャンネル）であり、スチール曲げ材で構成されている。なお、図８に示すように、吊フレーム３００は、長手方向（Ｘ方向）に間隔をあけて配置された複数の吊部材６０によって吊り下げられている。
【００２６】
また、図１及び図８に示すように、吊部材６０（吊ボルト６４）の下端部には、取付部材１００がナットＮＴによって取り付けられている。取付部材１００は、取付部材本体１０２と、Ｌ字状のアングル部材１０４とで、構成されている。
【００２７】
取付部材本体１０２は、板厚方向がＸ方向とされ、Ｙ方向に張り出した板金で構成されている。そして、下端部が水平方向に折り曲げられて形成された底部１０２Ａと、Ｙ方向両端部が内側に折り曲げられて形成された縦壁部１０２Ｂと、を有している。よって、取付部材本体１０２をＸ方向に見た外形状は、下側が開口された凹状（蛙股形状）となっている。
【００２８】
Ｌ字状のアングル部材１０４は、板金をＬ字状に曲げて形成されている。そして、アングル部材１０４は、取付部材本体１０２の前壁部１０２Ｃにボルト締結されている。また、このアングル部材１０４に吊部材６０（吊ボルト６４）がナットＮＴによって締結されている。更に、この取付部材１００（取付部材本体１０２）のＹ方向の両側に、Ｘ方向を長手方向として配置された第一フレーム材１１０がそれぞれボルト締結されている。
【００２９】
図５に示すように、第一フレーム材１１０は、筒部（中空部）１１２と、筒部１１２の上側及び下側にそれぞれ形成された上側横溝部１１４Ｕ及び下側横溝部１１４Ｌと、上側横溝部１１４Ｕ及び下側横溝部１１４Ｌの上側及び下側にそれぞれ形成された上側フランジ部１１６Ｕ及び下側フランジ部１１６Ｌと、を有している。また、本実施形態では、上側フランジ部１１６Ｕの間及び下側フランジ部１１６Ｌの間には、上部溝部１１４Ｕ及び下部溝部１１４Ｌがそれぞれ形成されている。
【００３０】
第一フレーム材１１０の筒部（中空部）１１２は、Ｘ方向が筒方向であり、また断面が矩形状とされている（図１も参照）。
【００３１】
上側横溝部１１４Ｕ及び下側横溝部１１４Ｌは、Ｘ方向を溝方向としＹ方向両外側にそれぞれ開口している。また、上側横溝部１１４Ｕ及び下側横溝部１１４Ｌの開口部には、上側及び下側に突出する縁部１１５Ｕ及び１１５Ｌが形成されている。なお、これら上側横溝部１１４Ｕ及び下側横溝部１１４Ｌは、スロットボルト溝であり、ボルトＢＴ（又はナットＮＴ）がＸ方向に移動可能に嵌め込まれるようになっている。
【００３２】
また、上側フランジ部１１６Ｕ及び下側フランジ部１１６Ｌは、Ｙ方向両外側に延在し、端部には下側又は上側に突出するリブ１１７Ｕ及び１１７Ｌが形成されている。
【００３３】
また、上部溝部１１８Ｕ及び下部溝部１１８Ｌは、Ｘ方向を溝方向とし上側又は下側にそれぞれ開口している。また、上部溝部１１８Ｕ及び下部溝部１１８Ｌの開口部には、内側に突出する縁部１１９Ｕ及び１１９Ｌが形成されている。また、これら上部溝部１１４Ｕ及び下部溝部１１４Ｌも、スロットボルト溝であり、図示されてはいないが、ボルトＢＴ（又はナットＮＴ）がＸ方向に移動可能に嵌め込まれるようになっている。
【００３４】
また、図２、図４及び図５に示すように、第一フレーム材１１０の上側フランジ部１１６Ｕは、天井板１４に当接し天井板１４を支持している。
【００３５】
なお、図１及び図５等に示すように、第一フレーム材１１０は、アルミの押出成形によって作製されている。また、第一フレーム材１１０は、長手方向（方向）から見ると、左右対称且つ上下対称の形状となっている。
【００３６】
図１及び図５等に示すように、取付部材１００の取付部材本体１０２の側壁部１０２Ｂに第一フレーム材１１０の筒部１１２の側面１１２Ａが当接している。また、取付部材１００の側壁部１０２Ｂの上端部及び下端部が、第一フレーム材１１０のスロットボルト溝である上側横溝部１１４Ｕ及び下側横溝部１１４Ｌに嵌め込まれたボルトＢＴ及びナットＮＴによって第一フレーム材１００と締結されている。
【００３７】
また、第一フレーム材１１０のＸ方向の端部同士は、筒部１１２の中に配置された断面Ｕ字形状の接続部材１０９によってボルト締結されている。
【００３８】
図１〜図５に示すように、第一フレーム材１１０のＹ方向の外側には、Ｙ方向を長手方向として配置された第二フレーム材１２０が結合されている。
【００３９】
図２及び図３に示すように、第二フレーム材１２０は、隣り合う開口領域３０に対応する第一フレーム材１１０と第一フレーム材１１０とに架け渡され、またＸ方向に間隔をあけて配置されている。
【００４０】
図１及び図４に示すように、第二フレーム材１２０は、ウェブ１２２の上下に上側フランジ部１２４Ｕ及び下側フランジ部１２４Ｌが形成された横向きのＨ字形状となっている。また、上側フランジ部１２４Ｕ及び下側フランジ部１２４Ｌの端部には、下側又は上側に突出するリブ１２５Ｕ、１２５Ｌ（図１参照）が形成されている。
【００４１】
なお、第二フレーム材１２０は、アルミの押出成形によって作製されている。また、第二フレーム材１２０は、長手方向（Ｙ方向）から見ると、左右対称且つ上下対称の形状となっている。
【００４２】
また、図６に示すように、第一フレーム材１１０の下側フランジ部１１６Ｌのリブ１１７Ｌには、一部が切り取られることで凹部１１１Ｌが形成され、この凹部１１１に、第二フレーム材１２０の下側フランジ部１２４Ｌが嵌め込まれている。
【００４３】
図１、図４、図５に示すように、第二フレーム材１２０と第一フレーム材１１０とは、板金製のＬ字状のアングル部材１３０によって結合されている。具体的には、第二フレーム材１２０のウェブ１２２に、アングル部材１３０の一方の側壁部１３２がボルト締結され、他方の側壁部１３４が第一フレーム材１１０の筒部１１２の側面１１２Ｂが当接すると共に、側壁部１３４の上端部及び下端部に第一フレーム材１１０のスロットボルト溝である上側横溝部１１４Ｕ及び下側横溝部１１４Ｌに嵌め込まれたボルトＢＴ及びナットＮＴによって締結されている。
【００４４】
図１及び図３に示すように、取付部材１００の両側に結合された第一フレーム材１１０間における第二フレーム材１２０の延長線上に、補強部材１４０が配置され、両端部が第一フレーム材１１０に結合されている。なお、補強部材１４０は、取付部材１００の取付部材本体１０２と同様の部材である。よって、結合方法は、前述した取付部材本体１０２の場合と同様であるので説明を省略する。
【００４５】
図１〜図４に示すように、第一フレーム材１１０の下側フランジ部１１６Ｌと第二フレーム材１２０の下側フランジ部１２４Ｌとの上にメッシュ金物（金網）５０が配置され支持されている。また、メッシュ金物５０は、第二フレーム材１２０の下側フランジ部１２４Ｌの端部に留付金具５２で、かしめられビス止めされている。
【００４６】
図１及び図８に示すように、第一フレーム材１１０間（開口領域３０）には、ライン照明の一例としての蛍光灯機器２００が配置されている。蛍光灯機器２００は、吊フレーム３００にＣ型プレート３０２を介して取り付けられた吊ボルト３１０によって吊り下げられている。
【００４７】
図３に示すように、平面視において、第一フレーム材１１０間（開口領域３０）には、金属板２１０が第一フレーム材１１０の下側フランジ部１１６Ｌに上に設けられ、図示していないワイヤーによって第一フレーム材１１０や取付部材１００、及び補強部材１４０等に連結されている。なお、金属板２１０は、蛍光灯機器２００が設けられた領域が半透明部２０２となっている。
【００４８】
図３に示すように、本実施形態では、空調機器９０が、スラブ１２（図２参照）に固定され、天井板１４に形成された開口部から露出している。また、空調機器９０は、メッシュ金物５０の上側に配置されている。
【００４９】
＜施工方法＞
つぎに、本実施形態の天井構造１０の施工方法について説明する。なお、本施工方法は、本発明が適用されていない既存の吊り天井（天井構造）を、本実施形態の天井構造１０に改修する場合で説明する。また、図示は省略されているが、既存の吊り天井の下に足場を設けて、下方から作業を行う。
【００５０】
図７−１（Ａ）に示すように、既存の吊り天井（天井構造）は、メッシュ金物５０及びメッシュ金物５０を支持する第一フレーム材１１０、第二フレーム材１２０、取付部材１００、補強部材１４０等が設けられていない。また、吊部材６０には吊ボルト６４は継がれておらず全螺子ボルト６２のみがスラブ１２（図２参照）から吊られている。また、連結機構４０には、下側横部材４６は結合されていない。また、連結機構４０を構成する縦部材４２は、縁受け（下地金物）２０の端部に溶接のみで接合されており、ボルト締結されていない。
【００５１】
平面視における天井板１４間の開口領域３０には、全螺子ボルト６２によって蛍光灯機器８００が吊り下げされている。蛍光灯機器８００は、天井板１４と同一平面になるように、上下方向の位置が調整されている。そして、図に示すように、既存の吊り天井の蛍光灯機器８００を取り外す。
【００５２】
図７−１（Ｂ）に示すように、連結機構４０の下側横部材４６をボルトＢＴ及び図示されていないナットで締結する。更に、連結機構４０の縦部材４２と縁受け２０とをボルトＢＴ及び図示されていないナットでも締結する。また、全螺子ボルト６２に袋ナット６６で吊ボルト６４を継いで全長を長くする。
【００５３】
図７−２（Ｃ）に示すように、吊部材６０の吊ボルト６４に取付部材１００を取り付ける。また、吊部材６０にＣ型プレート３０２を介して吊フレーム３００を取り付ける。
【００５４】
図７−２（Ｄ）に示すように、取付部材１００のＹ方向の両側に第一フレーム材１１００をボルトＢＴ及びナットＮＴで締結する。このとき、ボルトＢＴ（又はナットＮＴ）は、上側横溝部１１４Ｕ及び下側横溝部１１４Ｌに沿ってＸ方向に自在に移動できるので、第一フレーム材１１０の位置を適宜調整する。また、第一フレーム材１１０の上側フランジ部１１６Ｕが天井板１４を支持するように、取付部材１００のアングル部材１０４の上下方向の締結位置を調整する。
【００５５】
更に、同様に図１に示す補強部材１４０（取付部材本体１０２）をＸ方向に所定の間隔（本実施形態では１ｍ間隔）で取付部材１００に締結する。
【００５６】
図７−３（Ｅ）に示すように、第二フレーム材１２０を第一フレーム材１１０と第一フレーム材１１０とに架け渡し、アングル部材１３０で取りつける。このとき、ボルトＢＴはＸ方向に自在に移動できるので、図１に示すように、補強部材１４０（取付部材本体１０２）と同じ位置になるように、アングル部材１３０の位置を適宜調整する。なお、最終的に固定する前に、図６に示すように、第一フレーム材１１０の下側フランジ部１１６Ｌのリブ１１７Ｌの一部を切り取り凹部１１１Ｌを形成し、この凹部１１１に、第二フレーム材１２０の下側フランジ部１２４Ｌを嵌め込む。
【００５７】
図７−３（Ｆ）に示すように、第一フレーム材１１０の下側フランジ部１１６Ｌと第二フレーム材１２０の下側フランジ部１２４Ｌとの上にメッシュ金物５０を載せ、第二フレーム材１２０の下側フランジ部１２４Ｌの端部に留付金具５２で、かしめてビス止めする。
【００５８】
図７−４（Ｇ）に示すように、ライン照明の一例として新しい蛍光灯機器２００を、Ｃ型プレート３０２及び吊ボルト３１０を介して、吊フレーム３００に取り付ける（図１及び図８も参照）。また、図３に示すように、蛍光灯機器２００が設けられた領域が半透明部２０２となった金属板２１０を第一フレーム材１１０の下側フランジ部１１６Ｌに上に設け、図示していないワイヤーによって第一フレーム材１１０や取付部材１００、及び補強部材１４０等に連結する。
【００５９】
＜作用及び効果＞
つぎに、本実施形態の作用及び効果について説明する。
【００６０】
大きな地震が発生した場合、天井板１４が水平方向に振動し、天井板１４に慣性力や衝撃力等が発生し、これにより天井板１４が破壊されることがある。そして、一つの天井板１４の破壊が進行し脱落すると、振動幅が大きくなり、他の天井板１４が次々に破壊され脱落する。しかし、第一フレーム材１１０及び第二フレーム材１２０に支持され固定されたメッシュ金物５０が、脱落した天井板１４を受け止める。よって、天井板１４の床面への落下が防止される。
【００６１】
更に、本実施形態では、空調機器９０がスラブ１２に固定されている。そして、空調機器９０が地震時に脱落してもメッシュ金物５０が受け止めるので、空調機器９０の床面への落下が防止される。なお、空調機器９０以外の設備機器や下地骨組み構造材等が脱落してもメッシュ金物５０が受け止めるので、床面への落下が防止される。つまり、メッシュ金物５０は、地震時に脱落（落下）が想定される脱落物（落下物）全般を受け止め、床への落下を防止している。このように本発明を適用することで、天井の落下が防止される。
【００６２】
ここで、本実施形態の天井構造１０では、押出成形によって作製された軽量で高剛性のアルミ型材である第一フレーム材１１０及び第二フレーム材１２０を枠組みし、これら枠組みされた第一フレーム材１１０及び第二フレーム材１２０にメッシュ金物５０を支持させることで、天井板１４の下方にメッシュ金物５０を配置する構造となっている。
【００６３】
このような軽量で高剛性の第一フレーム材１１０及び第二フレーム材１２０を枠組してメッシュ金物５０を支持する構造とすることで、地震時の天井構造１０全体の慣性力が軽減される。また、天井板１４や空調機器９０等の落下物をメッシュ金物５０が受け止めて支持する支持剛性が大きくなる。
【００６４】
更に、既存の天井の下に足場を設けて、下側からの作業で第一フレーム材１１０及び第二フレーム材１２０を枠組してメッシュ金物５０を既存の天井板１４に下方に配置することができる。よって、例えば、週末等の休業日を利用することで、事業に影響しないで階改修工事をするこが可能である。
【００６５】
また、各種落下物を受け止めるメッシュ金物５０を支持する第一フレーム材１１０及び第二フレーム材１２０は、既存（既設）の全螺子ボルト６２によって支持されている構造となっている。つまり、既存（既設）の全螺子ボルト６２（本実施形態では、既存の蛍光灯機器８００を吊り下げていた全螺子ボルト６２）を利用しているので、スラブ１２に新たにアンカーを設けて吊ボルトを設置する必要が無い。
【００６６】
また、下側から見える部材は、アルミ押出型材である第一フレーム材１１０及び第二フレーム材１２０及びメッシュ金物５０であるので、美観性に優れている。また、経年後の保守・交換も容易である。
【００６７】
また、本実施形態では、補強部材１４０が第二フレーム材１２０の延長線上に配置されている（補強部材１４０と第二フレーム材１２０とが同一の直線上に配置されている）。よって、第二フレーム材１２０の長手方向（Ｙ方向）の応力を、第一フレーム材１１０を介して、補強部材１４０が受ける構造となっている。よって、Ｘ方向を長手方向として配置された第一フレーム材１１０の曲げ変形が抑制される。また、メッシュ金物５０を支持する第一フレーム材１１０及び第二フレーム材１２０で構成された枠組み全体の剛性が向上する。
【００６８】
また、本実施形態では、第一フレーム材１１０は、筒部１１２、下側フランジ部１１８Ｌ、及び上側フランジ部１１８Ｕを有する座屈剛性が高い構造となっている。更に、下側フランジ部１１８Ｌ及び上側フランジ部１１８Ｕには、リブ１１７Ｌ、１１７Ｕが形成されており、より座屈剛性が高い構造となっている。
【００６９】
また、第二フレーム材１２０は、ウェブ１２２、下側フランジ部１２４Ｌ、及び上側フランジ部１２４Ｕで構成された断面横Ｈ字形状の座屈剛性が高い構造となっている。更に、下側フランジ部１２４Ｌ及び上側フランジ部１２４Ｕには、リブ１２５Ｌ、１２５Ｕが形成されており、より座屈剛性が高い構造となっている。
【００７０】
このように、第一フレーム材１１０及び第二フレーム材１２０は座屈剛性が高い構造となっているので、第一フレーム材１１０及び第二フレーム材１２０で構成された枠組み全体の剛性が更に向上する。
【００７１】
また、本実施形態では、第一フレーム材１１０の上側横溝部１１４Ｕ及び下側横溝部１１４Ｌに沿ってボルトＢＴ及びナットＮＴは、Ｘ方向に自在に移動できるので、Ｘ方向の任意の位置に第二フレーム材１２０、取付部材１００、補強部材１４０を締結することができる。
【００７２】
なお、本実施形態では、第一フレーム材１１０の下側フランジ部１１６Ｌのリブ１１７Ｌの一部を切り取り凹部１１１Ｌを形成し、この凹部１１１に、第二フレーム材１２０の下側フランジ部１２４Ｌを嵌め込んでいる。よって、地震時の第二フレーム材１２０のＸ方向のずれが防止されている。
【００７３】
なお、構造物の内部構造等によっては、第一フレーム材１１０を柱等の支持部材で支持する必要がある場合がある。このような場合は、第一フレーム材１１０の下部溝部１１８ＬにボルトＢＴ（又はナットＮＴ）を設け、下端部が床に固定された柱等の支持部材の上端部を締結することが可能となっている。また、ボルトＢＴ（又はナット）は、スロットボルト溝である下部溝部１１８ＬをＸ方向に移動可能であるので、任意の位置に支持部材を設置することができる。
【００７４】
＜変形例＞
つぎに、本実施形態の変形例の天井構造について図９を用いて説明する。
【００７５】
図９に示す変形例の天井構造では、天井板１４を吊り下げているボルト１８に、断面Ｃ字形状のＣ型プレート３３２を介して、吊フレーム３３０が取り付けられている。吊フレーム３３０は、長手方向をＹ方向として配置された断面Ｃ字形状のフレーム材（チャンネル）であり、またアルミ押し出し成型で作製されている。また、この吊フレーム３３０にＣ型プレート３３２を介して吊ボルト１６０が設けられている。
【００７６】
そして、この吊ボルト１６０の下端部に取付部材１００や吊フレーム３００が吊り下げられている。つまり、ボルト１８に、天井板１４と取付部材１００（や吊フレーム３００）とが共吊りされた構造となっている。
【００７７】
なお、本変形例の場合における[特許請求の範囲]の請求項１の「前記躯体に固定された吊部材」に対応する部材は、ボルト１８、吊フレーム３３０、及び吊ボルト１６０等である。
【００７８】
＜その他＞
尚、本発明は上記実施形態に限定されない。
【００７９】
例えば、上記施行例では、本発明が適用されていない既存の吊り天井（天井構造）に、本発明が適用された天井構造に改修する場合で説明したが、これに限定されるものではない。新築においても本発明が適用された天井構造を適用することができる。
【００８０】
また、例えば、上記実施形態では、第一フレーム材１１０間に蛍光灯機器２００を設けたが、これに限定されるものではない。既存の吊り天井に取り付けられていた蛍光灯機器８００を取り付けてもよい（既存の蛍光灯機器８００を再利用してもよい）。或いは、他の照明機器、例えば、ＬＥＤ照明やダウンライトを設けてもよいし、照明機器以外の各種機器を設けてもよい。
【００８１】
また、例えば、上記実施形態及び変形例では、既存の蛍光灯機器８００を吊り下げていた全螺子ボルト６２や天井板１４を吊り下げていたボルト１８を利用したが、これに限定されない。他の照明機器、例えば、ダウンライトを吊り下げていた吊部材を利用してもよいし、照明機器以外の機器やその他天井板を吊り下げていた吊部材を利用してもよい。或いは、新たに吊部材をスラブから吊り下げてもよい。
【００８２】
また、例えば、上記実施形態では、補強部材１４０が第二フレーム材１２０の延長線上に配置されているが、これに限定されない。取付部材１００が第二フレーム材１２０の延長線上に配置されていてもよい。また、補強部材１４０は必ずしも必要な部材ではない。
【００８３】
また、例えば、上記実施形態では、既存の蛍光灯機器８００が設けられていた天井板１４間の開口領域３０に第一フレーム材１１０等を配置したが、これに限定されない。別途、新たに開口領域を設けてもよい。
【００８４】
また、例えば、上記実施形態では、メッシュ金物５０は、第二フレーム材１２０の下側フランジ部１２４Ｌに固定されていたが、これに限定されない。メッシュ金物５０は、第一フレーム材１１０の下側フランジ部１１６に固定されていてもよいし、第一フレーム材１１０と第二フレーム材１２０との両方に固定されていてもよい。
【００８５】
また、例えば、上記実施形態では、地震時の落下物を受け止める部材は、金網材の一例としてのメッシュ金物５０であったが、これに限定されない。網材（ネット）を第一フレーム材１１０及び第二フレーム材１２０に取り付けて脱落物（落下物）を支持する構造としてもよい。なお、メッシュ金物５０（金網材）及び網材（ネット）の強度やメッシュサイズ（網目の大きさ）等は、天井板１４、空調機器９０、及びその他想定される脱落物（落下物）の大きさや重量等によって、適宜設定すればよい。
【００８６】
また、上記実施形態では、アングル部材１０４と取付部材本体１０２との接合、縦部材４２と野縁受け２０との接合、下側横部材４６と縦部材４２との接合、第一フレーム材１１０と接続部材１０９との接合、及び第二フレーム材１２０とアングル部材１３０との接合などは、ボルト締結（及び溶接接合とボルト締結の併用）となっているが、これに限定されるものではない。ビス締結や他の接合方法（締結方法）でもよい。なお、ビス締結は、電動ドライバーのみで容易に部材を接合できるので、好適である。
【００８７】
また、上記実施形態では、取付部材１００は、取付部材本体１０２と、Ｌ字状のアングル部材１０４とで、構成されていたが、これに限定されるものではない。例えば、Ｌ字状のアングル部材１０４でなく、Ｚ字状の部材であってもよい。そして、Ｚ字状の部材の場合は、取付部材本体１０２の前壁部１０２Ｃと底部１０２Ａとに、ビス締結等で接合し一体化する。
【００８８】
また、上記実施形態では、第一フレーム材１１０の上側フランジ部１１６Ｕ及び下側フランジ部１１６Ｌの端部には、リブ１１７Ｕ及び１１７Ｌが形成されている。また、第二フレーム材１２０の上側フランジ部１２４Ｕ及び下側フランジ部１２４Ｌの端部には、リブ１２５Ｕ、１２５Ｌが形成されている。これらリブ１１７Ｕ、１１７Ｌ，１２５Ｕ，１２５Ｌは、第一フレーム材１１０及び第二フレーム材１２０の剛性を向上させる機能を有する。しかし、これらリブ１１７Ｕ、１１７Ｌ，１２５Ｕ，１２５Ｌは、必ずしも必要でなく、形成されていなくてもよい。特に、第二フレーム材１２０の下側フランジ部１２４Ｌのリブ１２５Ｌは、収まりの関係やメッシュ金物５０の固定の関係から形成されていない方が好適な場合もある。
【００８９】
更に、本発明の要旨を逸脱しない範囲において種々なる態様で実施し得る。
【符号の説明】
【００９０】
１０      天井構造
１２      スラブ（躯体の一例）
１４      天井板
５０      メッシュ金物（金網材）
６０      吊部材
１００      取付部材
１１０      第一フレーム材
１１２      筒部
１１４Ｕ    上側横溝部（横溝部）
１１４Ｌ    下側横溝部（横溝部）
１１６Ｕ    上側フランジブ（フランジ部）
１１６Ｌ    下側フランジブ（フランジ部）
１２０      第二フレーム材
２００      蛍光灯機器（照明機器の一例）
【図１】
2015074874.tif 000003
【図２】
2015074874.tif 000004
【図３】
2015074874.tif 000005
【図４】
2015074874.tif 000006
【図５】
2015074874.tif 000007
【図６】
2015074874.tif 000008
【図７−１】
2015074874.tif 000009
【図７−２】
2015074874.tif 000010
【図７−３】
2015074874.tif 000011
【図７−４】
2015074874.tif 000012
【図８】
2015074874.tif 000013
【図９】
2015074874.tif 000014